(57)【要約】【課題】送排水ポンプユニットは、ポンプとモータの組合せが様々であって組付けベースＢの大きさが様々である上、ベースＢの取付用ボルト孔の巾方向間隔も長手方向間隔も区々であって、多種類の防振架台を用意する必要があり、製作のみならず設置作業も極めて非能率である。本案は、多種多様なポンプベースに対応できる防振架台１を提供する。【解決手段】防振架台１の上架台３上面を覆い、中央部裏面に固設された断面コ状の導水ダクト７の両端が短辺側台枠と一体的に固定されたベース取付板６と、導水ダクト上のポンプ取付側に開口する集水長孔８と、該集水長孔を挟んで対称的に貫設された少なくとも１組の斜めボルト孔９，９と、取付板のモータ取付側の両側に設けられた一対の切欠き１０，１０と、少なくとも１組の斜めボルト孔１２，１２を有し、切欠き内において前記導水ダクトの長手方向にスライドする位置調整板１１，１１とを備える。【選択図】図１
0003114135.tif 000002
【実用新案登録請求の範囲】
【請求項１】
方形防振架台の上架台上面を覆うと共に中央部裏面に固設された断面コ状の導水ダクトの両端が短辺側台枠と一体的に固定されたベース取付板と、前記導水ダクト上のポンプ取付側板面に開口する集水長孔と、該集水長孔を挟んで対称的に貫設された少なくとも１組の斜めボルト孔と、前記取付板のモータ取付側の両側に設けられた切欠きと、少なくとも１組の斜めボルト孔を有し前記切欠き内において前記導水ダクトの長手方向にスライドする位置調整板とを備えてなるポンプ用防振架台。
【請求項２】
導水ダクトが上架台の台枠側面に設けたドレン孔に開口する請求項１記載のポンプ用防振架台。
【考案の詳細な説明】
【技術分野】
【０００１】
この考案は、送・排水用ポンプユニットの防振架台に関する。
【背景技術】
【０００２】
ポンプユニットは、所望する性能のポンプとモータが連結されて１個のベース上に組み付け固定されて構成されるが、ポンプとモータの組合せが様々であってベースの大きさは勿論のこと重心位置も様々である。  一般の防振架台は、例えば特許第３３３０３４６号に示されているように公知であるが、この種の防振架台では、機種毎に異なる重心位置に対応するため上架台にセメントモルタルなどを流し込んで荷重を調整することも行われている。
【０００３】
この他、ポンプベースの取付用ボルト孔の巾方向間隔も長手方向間隔も区々であり、このため架台メーカは多種類の取付架台を用意する必要があり、製作のみならず設置作業も極めて非能率でコストの低減が困難であった。
【０００４】
【特許文献１】特許第３３３０３４６号公報
【考案の開示】
【考案が解決しようとする課題】
【０００５】
本案は、ボルト取付孔の位置及び間隔が異なる多種多様なポンプベースに対応できる防振架台を提供するものであって、取付位置を比較的自由に設定できるので製作機種が少なくて済む上、設置作業も容易になるのでコスト削減が可能になる。
【課題を解決するための手段】
【０００６】
本案防振架台は、上架台上面をベース取付板で覆って固定すると共に板の中央部裏面に断面コ状の導水ダクトを固設し、更にその両端を短辺側台枠に固定して一体化する。  導水ダクトは、一端を架台枠の側部に設けたドレン孔に開口連通させてもよいが、底部にドレン管を接続してもよい。  導水ダクト上のポンプ取付側中心に位置して集水長孔が開口され、該集水長孔を挟んで少なくとも１組の斜めボルト孔が対称的に貫設される。  また、取付板のモータ取付側の両側に位置して一対の切欠きが設けられ、この切欠き内には少なくとも１組の斜めボルト孔を有する位置調整板が導水ダクトの長手方向にスライド可能に嵌合される。    斜めボルト孔の位置と数は任意である。
本案において斜めボルト孔とは、取付板の面上に斜めに形成されているボルト挿通用長孔をいう。    なお、架台の全体は亜鉛メッキなどの防錆加工が施されている。
【考案の効果】
【０００７】
本案架台は、上架台上面に取付板が固定され、更に取付板の裏面中央部に配設した導水ダクトが架台枠にも固定されているので頑丈である。  そして比較的大荷重の（？振動発生源となる）ポンプ側ベース取付孔を板上の所望位置に仮固定してからモータ側のボルト取付孔に位置調整板をスライドさせて位置合わせできるから組付けが簡単にできる他、架台上のベース位置を自由に変えて所定位置に設定することが容易になり、架台の防振性能を損なうことがない。
更に、一対の斜めボルト孔は組付け締結作業を容易にするばかりでなく、組付け後もベースの巾方向ズレを防止する効果もある。
【考案を実施するための最良の形態】
【０００８】
図中、１は方形の防振架台、２は床面に固定した下架台、３は上架台、４はゴム板とコイルスプリングで構成されている防振材、５はストッパボルトである。
６は、上架台上面を覆うように固定されたポンプベース取付板であって裏面の長手方向中央に断面コ状の導水ダクト７が固設され、ダクトの両端は架台枠に接合して上架台全体を補強している。    ８は、ポンプ搭載側ダクト上に沿って取付板に折り曲げ成形によって開設した集水長孔、９は、集水長孔を挟んで対称的に貫設された長孔でなる斜めボルト挿通孔であって２個以上併設する場合の間隔は任意である。
１０は、モータ側取付板の両側に設けた一対の切欠き、１１は夫々の切欠きに嵌合するスライド調整板であって、板面には斜めボルト孔９と同様のボルト孔１２が１個以上貫設されると共に調整板の外縁には側壁１１Ａが形成されて上架台に対する１個又は２個の位置決めボルト１４が設けられている。  なお、図１では一方の調整板を鎖線で示してある。  １３は切欠きの内縁下面に溶着した調整板支持部材である。  
【０００９】
集水長孔８から導水ダクト７内に入った漏水は、上架台の側部に設けたドレン孔２０又はダクト底部の適所に設けたドレン管２１を通って排水される。
【図面の簡単な説明】
【００１０】
【図１】本案防振架台の平面図
【図２】同側面図
【図３】図１のＡ−Ａ部拡大断面図
【符号の説明】
【００１１】
１  防振架台
２  下架台
３  上架台
４  防振材
５  ストッパボルト
６  取付板
７  補強材兼導水ダクト
８  集水長孔
８Ａ  集水案内
９、１２  斜めボルト孔
１０  切欠き
１１  位置調整板
１１Ａ  側壁
１３  調整板支持部材
１４  位置決めボルト
２０  ダクトに連接するドレン孔
２１  ドレン管
２２  ピット
Ｆ    床面
【図１】
0003114135.tif 000003
【図２】
0003114135.tif 000004
【図３】
0003114135.tif 000005
【手続補正書】
【提出日】平成17年6月28日(2005.6.28)
【手続補正１】
【補正対象書類名】明細書
【補正対象項目名】０００７
【補正方法】変更
【補正の内容】
【０００７】
本案架台は、上架台上面に取付板が固定され、更に取付板の裏面中央部に配設した導水ダクトが架台枠にも固定されているので頑丈である。  そして比較的大荷重のポンプ側ベース取付孔を板上の所望位置に仮固定してからモータ側のボルト取付孔に位置調整板をスライドさせて位置合わせできるから組付けが簡単にできる。  また、架台上のベース位置を自由に変えて所定位置に設定することが容易になり、架台の防振性能を損なうことがない。
更に、一対の斜めボルト孔は、組付け締結作業を容易にするばかりでなく、組付け後もベースの巾方向ズレを防止する効果もある。